(57)【要約】【課題】重量安定性が十分であり、しかも材料コストの低減にも寄与する石積み構造物および石積み工法を提供する。【解決手段】護岸法面Ａにフレーム構造の架台５を据付けた後、該架台５上に、二枚の格子枠２の間に植生マット３を挟んでなる基板４を敷き並べる。そして、予めアンカー６を植設した石材７の複数を、そのアンカー６を前記基板４を通しながら基板４上に載置し、その後、架台５の周囲を型枠で囲んで、その内部にコンクリートを打設し、コンクリート層８に前記アンカー６の先端部を埋込んで、重量の大きい石積み構造物を完成させる。【選択図】図２
2009228218.tif 000002
【特許請求の範囲】
【請求項１】
ネット状支持体とシート状物とを重ね合させて一体化した基板と、該基板の１枚または複数枚を上面に支持するフレーム構造の架台と、予めアンカーが植設され、該アンカーの一端部を前記基板を挿通して前記架台内に延在させた状態で該基板上に載置された複数の石材と、前記架台内に打設され、前記アンカーの一端部を埋込んだコンクリート層とからなることを特徴とする石積み構造物。
【請求項２】
前記シート状物が植生マットであり、前記基板は、二枚のネット状支持体の間に該植生マットを挟んだサンドイッチ構造となっていることを特徴とする請求項１に記載の石積み構造物。
【請求項３】
前記植生マットが、ヤシマットであることを特徴とする請求項２に記載の石積み構造物。
【請求項４】
施工面に架台を据付けた後、該架台上に１枚または複数枚の基板を敷き並べ、次に、予めアンカーを植設した石材の複数を、該アンカーの一端部を前記基板を通して前記架台内まで延出させながら該基板上に載置し、しかる後、前記架台の周囲を型枠で囲んでその内部にコンクリートを打設することを特徴とする石積み工法。
【請求項５】
１枚または複数枚の基板を上面に敷き並べた架台を施工面に据付けた後、予めアンカーを植設した石材の複数を、該アンカーの一端部を前記基板を通して前記架台内まで延出させながら該基板上に載置し、しかる後、前記架台の周囲を型枠で囲んでその内部にコンクリートを打設することを特徴とする石積み工法。
【発明の詳細な説明】
【技術分野】
【０００１】
本発明は、河川、湖沼、海岸等の護岸や突堤の多自然化に向けて好適な石積み構造物および石積み工法に関する。
【背景技術】
【０００２】
従来、護岸等の多自然化を目的とした石積み構造物としては、たとえば、特許文献１、２に記載されたものがあった。このうち、特許文献１に記載されたものは、金網に複数の石材（自然石）を連結金具を用いて連結してなっており、一方、特許文献２に記載されたものは、複数の自然石で囲んだ区画空間内にコンクリートを打設して、コンクリート基板内に各石材に一端部を植込んだアンカーの他端部を埋込んでなっている。
【０００３】
【特許文献１】特開２００１−９８５２７号公報
【特許文献２】特開２００６−１３２３１４号公報
【発明の開示】
【発明が解決しようとする課題】
【０００４】
しかしながら、特許文献１に記載された石積み構造物では、石材の重量だけで自立するものとなっているため、台風等による激しい水流や潮流によってめくれ上がってしまう危険があり、重量安定性に欠けるという問題があった。また、特許文献２に記載された石積み構造物では、周囲に配列した自然石を型枠としてその内部にコンクリートを打設するため、自然石として大きさの揃った巨石（６００ｍｍ程度）が必要で、自然石の入手が困難になって、材料コストの上昇が避けられないという問題があった。
【０００５】
本発明は、上記した従来の問題点に鑑みてなされたもので、その課題とするところは、重量安定性が十分であり、しかも材料コストの低減にも寄与する石積み構造物および石積み工法を提供することにある。
【課題を解決するための手段】
【０００６】
上記課題を解決するため、本発明に係る石積み構造物は、ネット状支持体とシート状物とを重ね合させて一体化した基板と、該基板の１枚または複数枚を上面に支持するフレーム構造の架台と、予めアンカーが植設され、該アンカーの一端部を前記基板を挿通して前記架台内に延在させた状態で該基板上に載置された複数の石材と、前記架台内に打設され、前記アンカーの一端部を埋込んだコンクリート層とからなることを特徴とする。
【０００７】
このように構成した石積み構造物においては、石材が載置される基板を支持する架台内に打設したコンクリート層が一体となっているので、重量安定性は十分となる。また、シート状物を備えた基板が型枠として用いられるので、この上に載置する石材としては任意の大きさのものを選択できる。
【０００８】
本発明の石積み構造物において、上記シート状物が植生マット望ましくはヤシマットであり、上記基板は、二枚のネット状支持体の間に該植生マットを挟んだサンドイッチ構造となっている構成としてもよい。このように基板を構成し場合は、植生マットの存在で植物の生育が促進される。
【０００９】
本発明に係る石積み工法は、上記した石積み構造物の設置を行うもので、その第１の発明は、施工面に架台を据付けた後、該架台上に１枚または複数枚の基板を敷き並べ、次に、予めアンカーを植設した石材の複数を、該アンカーの一端部を前記基板を通して前記架台内まで延出させながら該基板上に載置し、しかる後、前記架台の周囲を型枠で囲んでその内部にコンクリートを打設することを特徴とする。
【００１０】
また、石積み工法としての第２の発明は、１枚または複数枚の基板を上面に敷き並べた架台を施工面に据付けた後、予めアンカーを植設した石材の複数を、該アンカーの一端部を前記基板を通して前記架台内まで延出させながら該基板上に載置し、しかる後、前記架台の周囲を型枠で囲んでその内部にコンクリートを打設することを特徴とする石積み工法。
【発明の効果】
【００１１】
本発明に係る石積み構造物および石積み工法によれば、重量安定性が十分であることはもちろん、用いる石材の大きさに制限を受けないので材料コストが低減し、河川、湖沼、海岸等の護岸や突堤の多自然化に向けて好適となる。
【発明を実施するための最良の形態】
【００１２】
以下、本発明を実施するための最良の形態を図面に基づいて説明する。
図１および図２は、本発明に係る石積み構造物の一つの実施形態を示したものである。本石積み構造物１は、河川護岸の法面Ａに設置されるもので、二枚のネット状支持体２，２の間に植生マット（シート状物）３を配設してなるサンドイッチ構造の基板４と、前記法面Ａに据付けられ、複数の基板４を上面に支持するフレーム構造の架台５と、予めアンカー６が植設され、該アンカー６の先端部を基板４を挿通して架台５内に延在させた状態で該基板４上に載置された複数の石材７と、架台５内に打設されたコンクリート層８とから概略構成されている。
【００１３】
上記基板４を構成するネット状支持体２は、ここでは図３に示されるように、鋼棒望ましくは防錆処理を施した鋼棒２ａを縦横に配列してそれらの交差部を溶接してなる格子枠となっている。この格子枠２の目は、強度（剛性）をあまり低下させない範囲内で、できるだけ粗くするのが望ましい。一例として、その目の大きさは、５０〜１００ｍｍ四方程度に設定される。なお、前記ネット状支持体の種類は任意であり、前記格子枠２に代えて、エキスパンドメタル、パンチングメタル、亀甲金網等の金属系多孔体をはじめ、プラスチック製ネットを使用できる。これらの使用に際しても、前記同様に強度的に許容される範囲内で、できるだけ目の粗いものを選択する。また、プラスチック製ネットを使用する場合は、環境保全のために生分解性材料からなるものを選択するのが望ましい。
【００１４】
また、基板４を構成する植生マット３の種類も任意であるが、入手容易でコスト的に安価であり、かつ環境に対する悪影響がないことからヤシマットを用いるのが望ましい。この植生マット３を格子枠２に固定するには、二枚の格子枠２の間に植生マット３を挟んだ状態で、その端縁部および中央部の適当箇所で二枚のネット２を適宜の連結具で連結すればよい。なお、基板４は、一例として縦２ｍ、横１ｍ程度の大きさとなっている。
【００１５】
上記架台５は、図４によく示されるようにアングル、フラットバー等のフレーム５ａを溶接により組んだ箱形状をなしている。この架台５は、基板４を複数枚（ここでは、二枚）載置できる大きさに形成されており、その上部には、上記石材７の載荷重に耐えるように基板４を安定支持するための補助フレーム５ｂが縦横に配列されている。
【００１６】
上記石材７としては、自然石はもちろん、建設発生材や擬石を用いることができる。この石材６の大きさは任意であり、直径２００〜５００ｍｍ程度の中型石であっても、直径５００ｍｍを超える巨石であってもよい。この石材７に植設するアンカー６の種類は任意であり、たとえば、ホールアンカー、差筋アンカー等のメカニカルアンカーはもとより、接着剤によるケミカルアンカーを用いることができる。石材７に対するアンカー６の植設は、石材７に事前削孔した孔にアンカー６の一端部を打込むことで簡単に行うことができる。なお、石材７として巨石を用いる場合は、複数本のアンカー６を石材７に植設するようにしてもよい。
【００１７】
上記石材７は、アンカー６を基板４に刺込んだ状態で該基板４上に載置され、一方、架台５内まで延ばされたアンカー６の先端部は、上記打設コンクリート層８に埋込まれている。これにより各石材７はアンカー６を介して強固にコンクリート層８に固定され、これと共に基板４が、架台５を含むコンクリート層８上に位置固定される。しかして、複数の石材７は、相互に部分接触する状態で基板４上に配置されており、これにより複数の石材７を法面Ａに積上げた石積み護岸が出現する。
【００１８】
上記石積み構造物１を護岸法面Ａに設置するには、予め護岸法面Ａの法尻に設置したコンクリート基礎１０を起点に架台５を法面（施工面）Ａ上に据付ける。この場合、コンクリート基礎１０に沿う横方向へ複数の架台５を連接して据付けてもよく、複数の架台５を据付ける場合は、架台５同士を適宜の連結具により連結する。次に、前記架台５上に所要枚数の基板４を敷き並べ、所望により各基板４を架台５に連結する。なお、別の場所で架台５に基板４を組付けて、これを法面Ａ上に搬入するようにしてもよい。次に、予めアンカー６を植設した石材７を、該アンカー６の先端部を基板４を通して架台５内まで延出させながら該基板４上に載置する。このとき、護岸法面Ａの下側から積上げるようにして複数の石材７を載置するが、石材７の安定を図るため、図２に示されるように各石材７の間に小粒の間詰石１１を介在させてもよい。
【００１９】
次に、上記した１つまたは複数の架台５の側面を型枠（図示略）で囲み、該型枠と前記基板４とで囲まれた閉鎖域内にコンクリートを注入（打設）し、そのまま固化を待つ。コンクリートが固化することで、各石材７から延ばしたアンカー６の先端部がコンクリート層８に埋込まれ、これにて１つの架台５単位、または複数の架台５単位の石積み構造物１が完成する。その後は、側面の型枠を取外し、前記完成した石積み構造物１に連接して、護岸法面Ａの上方向（必要により横方向）に次の新たな架台５を据付け、以降、上記した作業を繰返して新たな石積み構造物１を設置する。そして、対象となる護岸法面Ａの全域に対して、前記した施工を繰返すことで、法面Ａに石材７を積上げた多自然型護岸が完成する。
【００２０】
上記のように完成した多自然型護岸は、低水域では、石材７同士の間隙が小魚の生息域として提供されるばかりか、エアレーションによる水質浄化にも役立つ。一方、中乃至高水域では、石材７同士の間隙が小動物や植物の生息域として提供される。本実施形態では特に、植生マット３を有する基板４が石材７の背面に配置されるので、該植生マット３に多くの植物が着生し、護岸の多自然化が促進される。この場合、予め植生マット３に植物の種子を播種することで、早期に植物が繁殖し、多自然化が著しく促進される。
【００２１】
一方、本石積み構造物１は、石材７が載置される基板４を支持する架台５内に打設したコンクリート層８が一体となっているので、台風等によって激しい水流が起こってもめくれ上がってしまう危険はなく、重量安定性は十分となる。また、基板４を型枠として用いてコンクリートを打設するので、基板４上に配置する石材７に大きさの制限を受けず、結果として石材７の入手が容易となって材料コストが低減し、その分、護岸の多自然化に要する施工コストが低減する。また、石材７として建設発生材を用いる場合は、廃棄物処理にも大きく寄与するものとなる。
【００２２】
ここで、本石積み構造物１は、上記した護岸法面Ａ以外にも適用可能である。図５は、本石積み構造物１を突堤２０の全表面に配列した実施形態を示したもので、ここでは、突堤２０の構築と併用されている。突堤２０の構築に際しては、別途突堤２０の外形状に相似のネット状籠体２１を用意する。この籠体２１は、その左・右傾斜壁部２１ａを河川の上・下流に向けると共に、その背面側の傾斜壁部２１ｂを陸地に向けて設置工場所に据付けられる。
【００２３】
上記ネット状籠体２１は組立式となっており、現場で組立てて設置場所に据付ける。この場合、ネット状籠体２１の左・右傾斜壁部２１ａの間に連結バー２２を橋渡すのが望ましい。そして、ネット状籠体２１の据付けが完了したら、この内部に中詰め材２３を投入し、適宜の高さに堆積させる。このとき、連結バー２２によって左・右傾斜壁部２１ａが連結されているので、該左・右傾斜壁部２１ａが外側へ広がることはなく、ネット状籠体２１の形状は維持される。なお、中詰め材２３の種類は任意であり、割栗石、砕石、コンクリート破砕ガラ等を用いることができる。
【００２４】
その後は、護岸法面Ａを対象にした上記実施形態と同様に、ネット状籠体２１の左・右傾斜壁部２１ａに対する架台５の据付け、架台５上への基板４の設置、基板４上への石材７の設置、架台５内へのコンクリートの打設を順に行い、１つの架台５単位、または複数の架台５単位で石積み構造物１を完成させる。以降、ネット状籠体２１内に対する中詰め材２３の追加投入を行いながら、石積み構造物１を上方へ継ぎ足し、最終的に天端に石積み構造物１を設置し、これにて全面に石材７を敷き並べた多自然型の突堤２０が完成する。このように施工する場合は、突堤２０の完成と同時に石積み構造物１の設置も完了するので、多自然型突堤２０の構築に向けて有用となる。
【００２５】
なお、上記各実施形態においては、基板４として二枚のネット状支持体（格子枠）２の間に植生マット３を挟んだサンドイッチ構造のものを用いたが、この基板は、一枚のネット状支持体の片面に植生マット３を張付けた構造としてもよいものである。また、シート状物としての植生マット３は、アンカー６の挿通を許容すると共にコンクリートの漏出を規制する他の素材、たとえば、織布または不織布等からなるシートやラス金網に代えることができる。
【図面の簡単な説明】
【００２６】
【図１】本発明に係る石積み構造物の一つの実施形態と護岸法面への設置状況を示す断面図である。
【図２】本石積み構造物の一部を拡大して示す断面図である。
【図３】本石積み構造物を構成する基板の構造を一部開放して示す斜視図である。
【図４】本石積み構造物を構成する架台の構造を示す斜視図である。
【図５】突堤の完成と同時に本石積み構造物の設置を終了させる突堤工法の実施状況を示す断面図である。
【図６】図５に示した突堤工法に用いるネット状籠体の構造を示す斜視図である。
【符号の説明】
【００２７】
１    石積み構造物
２    格子枠（ネット状支持体）
３    植生マット（シート状物）
４    基板
５    架台
６    アンカー
７    石材
８    コンクリート層
２０  突堤
Ａ    護岸法面
【図１】
2009228218.tif 000003
【図２】
2009228218.tif 000004
【図３】
2009228218.tif 000005
【図４】
2009228218.tif 000006
【図５】
2009228218.tif 000007
【図６】
2009228218.tif 000008